(57)【要約】      （修正有）【課題】ベルトを柔軟性のある通気性素材とすると共に、皮膚との接触部分を幅広形状として、長時間の使用であっても安定して快適に使用可能とした膝固定ベルトを提供する。【解決手段】左右大腿部に掛け渡すベルト１と、そのベルト１を環状につなぎ合わせる着脱部３を備えた膝固定ベルトＡであって、ベルト１を全方向に均一に伸びる伸縮性のある布で形成し、ベルトにおける左右大腿部への接触部分を幅広形状とし、拡幅部５から伸びるベルト幅を縁から内側へ向かって徐々に狭く設定し、それによって幅広部５と幅広部５を連結するベルトを幅狭形状とした。【選択図】図１
2016216865.tif 000002
【特許請求の範囲】
【請求項１】
左右大腿部に掛け渡すベルトと、そのベルトを環状につなぎ合わせる着脱部を備えたことを特徴とする膝固定ベルト。
【請求項２】
ベルトの長さを調整する調整部が備えられていることを特徴とする請求項１記載の膝固定ベルト。
【請求項３】
ベルトを全方向に均一に伸びる伸縮性のある布で形成し、
ベルトにおける左右大腿部への接触部分を幅広形状とし、拡幅部から伸びるベルト幅を縁から内側へ向かって徐々に狭く設定し、それによって幅広部と幅広部を連結するベルトを幅狭形状としたことを特徴とする請求項１又は２記載の膝固定ベルト。
【請求項４】
前記伸縮性を備える布として、多数の網目状の孔を有する布を使用し、その網目状の孔の変形と復元力により伸縮性を備える構成とし、かつ、網目状の孔により通気性を確保したことを特徴とする請求項３記載の膝固定ベルト。
【請求項５】
ベルトに所定の引っ張り力が加わった場合に、ベルトを弾力的に延長させる延長許容部を設けたことを特徴とする請求項１〜４いずれか記載の膝固定ベルト。
【発明の詳細な説明】
【技術分野】
【０００１】
本発明は膝固定ベルトに関し、特に、ベルトを柔軟性のある通気性素材とすると共に、皮膚との接触部分を幅広形状として、長時間の使用であっても安定して快適に使用可能とした膝固定ベルトに関する。
【背景技術】
【０００２】
長時間椅子等に腰かける際、疲労や緊張の弛緩によって、意図せず両脚が開いてしまうことがある。スカートを着用した女性の場合は、そのような姿勢の防止が望まれる。
一方、膝を縛った状態で着座姿勢を維持すると、からだのバランスが整えられ、背筋、腹筋等の各種筋肉の強化、さらに、腰痛治療および股関節矯正効果が得られることが知られている。
そして、このような膝を固定する技術に関するものとして特許文献１の技術が提案されている。
【先行技術文献】
【特許文献】
【０００３】
【特許文献１】実用新案登録３１０４５００号公報
【特許文献２】実開昭６２−１２９０２０号公報
【発明の概要】
【発明が解決しようとする課題】
【０００４】
しかしながら、前記特許文献１、２の技術では、ベルトが硬い素材で形成されているために長時間の使用には適さないという問題があった。つまり、ベルトで足を締め付けるためにベルトの縁が肌に接触し、皮膚表面に外傷、あるいは赤色や青色の変色を引き起こすという問題があった。
また、ベルトが肌に密着するために、夏の使用時には汗による不快感は避けられないという問題があった。
本発明は、かかる従来の問題を解決するためになされたもので、その目的とするところは、ベルトを柔軟性のある通気性素材とすると共に、皮膚との接触部分を幅広形状として、長時間の使用であっても安定して快適に使用可能とした膝固定ベルトを提供することにある。
【課題を解決するための手段】
【０００５】
前記目的を達成するための手段として請求項１記載の膝固定ベルトでは、左右大腿部に掛け渡すベルトと、そのベルトを環状につなぎ合わせる着脱部を備えたことを特徴とする。
【０００６】
請求項２記載の膝固定ベルトでは、請求項１記載の膝固定ベルトにおいて、ベルトの長さを調整する調整部が備えられていることを特徴とする。
【０００７】
請求項３記載の膝固定ベルトでは、請求項１又は２記載の膝固定ベルトにおいて、ベルトを全方向に均一に伸びる伸縮性のある布で形成し、ベルトにおける左右大腿部への接触部分を幅広形状とし、拡幅部から伸びるベルト幅を縁から内側へ向かって徐々に狭く設定し、それによって幅広部と幅広部を連結するベルトを幅狭形状としたことを特徴とする。
【０００８】
請求項４記載の膝固定ベルトでは、請求項３記載の膝固定ベルトにおいて、前記伸縮性を備える布として、多数の網目状の孔を有する布を使用し、その網目状の孔の変形と復元力により伸縮性を備える構成とし、かつ、網目状の孔により通気性を確保したことを特徴とする。
【０００９】
請求項５記載の膝固定ベルトでは、請求項１〜４いずれか記載の膝固定ベルトにおいて、ベルトに所定の引っ張り力が加わった場合に、ベルトを弾力的に延長させる延長許容部を設けたことを特徴とする。
【発明の効果】
【００１０】
請求項１記載の膝固定ベルトにおいては、左右大腿部に掛け渡すベルトと、そのベルトを環状につなぎ合わせる着脱部を備えているので、膝に装着することにより左右の膝が密着した状態で確実に固定され、長時間椅子等に腰掛ける場合であっても、両脚を閉じた姿勢が維持できる。
また、膝を密着した着座姿勢を維持することにより、からだのバランスが整えられ、背筋、腹筋等の各種筋肉の強化、さらに、腰痛治療および股関節矯正効果が得られる。
【００１１】
請求項２記載の膝固定ベルトにおいては、ベルトの長さを調整する調整部が備えられているので、利用者または利用の目的に応じてベルトの締め付け強度を適切に設定できる。
【００１２】
請求項３記載の膝固定ベルトにおいては、ベルトを全方向に均一に伸びる伸縮性のある布で形成しているので、両膝を柔軟性をもって密着保持する。
従来、ベルトの縁が硬いために皮膚を圧迫して皮膚に外傷、赤や青など変色を引き起こすおそれがあったが、ベルトが柔軟性を有しているために、これらを生じるおそれがない。
ベルトにおける左右大腿部への接触部分を幅広形状としたので、膝が広い面積のベルトによって安定的に保持される。そして、幅広部と幅広部を連結するベルトを幅狭形状としたので、幅狭部が柔軟に動き、左右の膝の独立した動きを許容する。
【００１３】
請求項４記載の膝固定ベルトにおいては、多数の網目状の孔を有する布を使用し、その網目状の孔の変形と復元力により伸縮性を備える構成としたので、ベルトが柔軟性を有すると共に通気性を有する。
【００１４】
請求項５記載の膝固定ベルトにおいては、ベルトに所定の引っ張り力が加わった場合に、ベルトを弾力的に延長させる延長許容部を設けたので、意識的に足を開きたい場合には開脚方向に力を入れれば、それに応じてベルトが伸長する。
そのため、足を組みたい場合、あるいは組み替えたい場合等には、足の動きに対応してベルトの環状部が拡大し、ベルトを外すことなく、姿勢移動、足の位置変更を行うことができる。
【図面の簡単な説明】
【００１５】
【図１】膝固定ベルトの斜視図である。
【図２】膝固定ベルトを装着した状態の説明図である。
【図３】膝固定ベルトを展開した状態を示す平面図である。
【発明を実施するための形態】
【実施例１】
【００１６】
第１実施例に係る膝固定ベルトＡは図１〜３に示すように、左右の大腿部を取り巻くベルト１と、ベルト１の一部に設けられた継具２と、ベルト同士を環状につなぎ合わせる着脱部３を主要な構成としている。
【００１７】
前記継具２は、装着時に下側に位置するベルトの中間部に設けられたものであり、継具を介して一連のベルトが形成されている。
継具２は矩形状の板材の両辺に沿って長細い切り抜き孔（長孔４）を形成した部材であり、長孔４にベルト１の先方を挿入して折返し、折返し部分が元のベルトに縫い合わされている。
そのため、板材の縁辺がベルト１に包み込まれた状態とされ、ベルト１によって形成された筒内を継具が滑る、いわゆる遊嵌状態でベルト１と継具２が接続されている。
継具２には左右２か所に長孔４があり、それぞれベルト１を遊嵌状態で接続しているので、ベルト１が左右独立して動き易い構成となっている。
【００１８】
前記ベルト１は樹脂製の糸を織り合わせて、数十〜数百ミクロンの多数の孔を規則的に形成した布材によって形成され、柔軟性を有している。
樹脂製の糸は弾力を有しているため、孔の変形と復元力により布面の全方向に均一に伸縮性を有している。
【００１９】
ベルト１の形状は左右の膝に接触する部位は幅広とされている。この幅広とされていることにより、広い面積をもって安定的に膝を保持することが可能となっている。
また、幅広部５から左右に延長するベルトはベルト縁が内側へ向かって徐々に狭く、幅狭とされている。
すなわち、幅広部５は膝に当たる部分であるので広く、その他の部分は狭く設定されているので、膝の広い部分を保持しながら、幅狭部６が左右の膝の独立した動きに対応し、両膝を安定的にしかも柔軟に保持する。
【００２０】
従来、硬いベルトで強固に左右の膝を縛る技術は提案されていたが、従来の技術は左右の膝を一体として強固に固定するという前提にあるため、互いに左右の動きが規制し合い、姿勢の自由度が少なくなるという欠点があった。
しかし、本願では、拡幅部５から伸びるベルト幅を縁から内側へ向かって徐々に狭く設定し、それによって幅広部５と幅広部５を連結するベルトを幅狭形状としているので、右と左の動きの自由度が高まり、姿勢の変更に柔軟に対応できるという利点がある。
なお、本実施例では幅広部５の幅：５〜８ｃｍ、幅狭部６の幅：２〜３ｃｍに設定するが、これらは布地の素材、伸縮性に応じて適宜設定される。
【００２１】
前記着脱部３は凸状のプラグ７と、そのプラグを差し込むソケット８から構成されている。
プラグ７を差し込むと、プラグ７の突起が係合孔に嵌り込み、プラグ７とソケット８が連結される。そして、プラグ側面をボタン操作すると、突起と係合孔の係合が解除されて外れる構成となっている。
それぞれ、プラグ７とソケット８の基部にはベルト１が取付けられているので、ベルト１を膝に回してプラグ７をソケット８に差し込むことにより膝の固定具が装着される。
プラグ７の基部にはベルト挿入孔が形成されており、この挿入孔にベルトの先方が挿入されてベルト１が取付けられている。
プラグ７に取付けられたベルト１はプラグ７を通り抜けて先方へ伸び、予備長９が確保され、この予備長９部分とプラグ７の取付部位をスライドさせることにより、ベルトの長短が調整される構成となっている（調整部）。
【００２２】
次に、本発明の膝固定ベルトＡの使用方法を説明する。
椅子１０に腰かけて両膝１１を合わせた状態で左右大腿部にベルト１を巻き付け、着脱部３のプラグ７とソケット８を連結する。きつく締める場合、または緩く締める場合は調整部によってベルトの長さを調整する。
膝固定ベルトＡを装着することにより、両膝１１が離れないように固定され、長時間椅子に腰かけても、両脚の閉じた状態を維持する。
また、膝が固定された着座姿勢を継続することにより、からだのバランスが整えられ、背筋、腹筋等の各種筋肉の強化、さらに、腰痛治療および股関節矯正効果が得られる。
本願の膝固定ベルトＡの使用に際しては、ベルト１は伸縮性のある素材によって形成されているので、皮膚にやさしく、幅広部５が膝の広い部分を保持しながら、幅狭部６が左右の膝の独立した動きに対応し、両膝１１を安定的にしかも柔軟に保持する。長時間の着用により汗を生じた場合でもベルト１の網目から発散する。
同じ姿勢を維持することによる疲労により、姿勢の変位が生じた場合でも、ベルトの伸縮性、及び幅広部と幅狭部が柔軟に対応する。
【実施例２】
【００２３】
第２実施例の膝固定ベルトは延長許容部を設けた構成である。
この延長許容部は、コイルバネ、板バネ、ゴム等の弾性体の作用により、ベルトに所定の引っ張り力が加わった場合に、弾力的にベルト１を伸張させる機能を有したものである。
本実施例では継具２の代わりにコイルバネを介してベルト同士を接続し、膝に力を入れずに自然に腰掛けた場合（膝の固定状態）から、意識的に膝を開こうと力を入れた場合には、コイルバネが伸びて弾力的にベルトを伸長させる構成となっている。
このため、通常はベルトが環状となって膝を取り巻いて膝同士を固定しているが、足を組む場合、あるいは姿勢を正す場合等には若干の隙間を生じて足の動きを許容する。
尚、ベルトの延長許容部の復元力、許容長さ等は適宜設定可能である。
【００２４】
以上、本発明の実施例を説明したが、本発明の具体的な構成はこの実施例に限定されるものではなく、発明の要旨を逸脱しない範囲における設定変更等があっても本発明に含まれる。
例えば、前記実施例では伸縮性のある布地について説明したが、布地としてスポンジ等の通気性のある素材を使用する場合であっても本発明に含まれる。
また、布地に強度を付与するために、縁取りを施す場合、あるいは布地を積層する場合であっても同一の作用効果となる。
【符号の説明】
【００２５】
１  ベルト
２  継具
３  着脱部
４  長孔
５  幅広部
６  幅狭部
７  プラグ
８  ソケット
９  予備長
１０  椅子
１１  両膝
【図１】
2016216865.tif 000003
【図２】
2016216865.tif 000004
【図３】
2016216865.tif 000005